(57)【特許請求の範囲】
【請求項１】
情報管理装置と通信する第１の通信部、
媒体を定期券として利用することを終了する利用終了日の申告を含む、ユーザの操作を受け付ける受付部、
前記媒体に記憶された識別情報と、定期券の利用区間、利用開始日、および利用終了日を含む定期券情報とを前記媒体から読み取る第１の読取部、および、
前記受付部により受け付けられた利用終了日が、前記第１の読取部により読み取られた利用開始日と利用終了日との間の日付である場合に、前記第１の読取部により読み取られた前記識別情報および前記受付部により受け付けられた利用終了日を、前記第１の通信部を用いて前記情報管理装置に送信する第１の制御部を有する第１の定期券処理装置と、
前記第１の定期券処理装置または自動改札機と通信する第２の通信部、および、
前記第１の定期券処理装置から前記識別情報および前記利用終了日を前記第２の通信部により受信した場合に、受信した前記識別情報および前記利用終了日を、前記第２の通信部を用いて前記自動改札機に送信する第２の制御部を有する前記情報管理装置と、
前記情報管理装置と通信する第３の通信部、
前記第３の通信部により受信した前記識別情報および定期券の利用終了日を記憶する記憶部、
媒体から前記識別情報および前記定期券情報を読み取る第２の読取部、および、
前記第２の読取部によって読み取られた前記識別情報が前記記憶部に記憶されている場合、前記記憶部に記憶された定期券の利用終了日に基づいて利用者の通過の可否を決定し、前記第２の読取部によって読み取られた前記識別情報が前記記憶部に記憶されていない場合、前記第２の読取部により読み取られた定期券の利用終了日に基づいて利用者の通過の可否を決定する決定部を備える自動改札機と、
を備える定期券処理システム。
【請求項２】
媒体を定期券として利用することを終了する利用終了日の申告を含む、ユーザの操作を受け付ける受付部、
前記媒体に記憶される識別情報と、定期券の利用区間、利用開始日、および利用終了日を含む定期券情報とを前記媒体から読み取る第１の読取部、および、
前記受付部により受け付けられる利用終了日が、前記第１の読取部により読み取られる利用開始日と利用終了日との間の日付である場合に、前記第１の読取部により読み取られる前記識別情報および前記受付部により受け付けられる利用終了日を、情報管理装置に送信する第１の制御部を有する定期券処理装置と、
前記定期券処理装置から受信した前記識別情報および前記利用終了日を、自動改札機に送信する第２の制御部を有する前記情報管理装置と、
前記情報管理装置から受信する前記識別情報および定期券の利用終了日を記憶する記憶部、
媒体から前記識別情報および前記定期券情報を読み取る第２の読取部、および、
前記第２の読取部によって読み取られる前記識別情報が前記記憶部に記憶されている場合、前記記憶部に記憶される定期券の利用終了日に基づいて利用者の通過の可否を決定し、前記第２の読取部によって読み取られる前記識別情報が前記記憶部に記憶されていない場合、前記第２の読取部により読み取られる媒体の利用終了日に基づいて利用者の通過の可否を決定する決定部を備える自動改札機と、
を備える定期券処理システム。
【請求項３】
前記第１の定期券処理装置は、前記識別情報および前記利用終了日を前記情報管理装置に送信すると共に、前記媒体に記憶された定期券の利用終了日をそのまま維持する、
請求項１に記載の定期券処理システム。
【請求項４】
前記情報管理装置と通信する第４の通信部、
ユーザの操作を受け付ける第２の受付部、
媒体に記憶された識別情報および前記定期券情報を読み取る第３の読取部、および、前記受付部により定期券の払い戻しを行う操作を受け付けた場合に、前記第３の読取部により読み取られた前記識別情報に対応する利用終了日であって、前記第１の定期券処理装置の受付部により受け付けられ前記情報管理装置によって保持されている利用終了日の送信を要求するリクエストを前記情報管理装置に送信させ、前記リクエストに対して、送信させた前記識別情報に対応した前記利用終了日が前記第４の通信部により受信された場合、受信された前記利用終了日に基づいて定期券の払い戻し処理を行う処理部を有する第２の定期券処理装置を更に備える、
請求項１に記載の定期券処理システム。
【請求項５】
前記第２の定期券処理装置の処理部は、ユーザが申告した払戻日が、前記情報管理装置から受信した前記利用終了日よりも前である場合、定期券の払い戻し処理を行わない、
請求項４に記載の定期券処理システム。
【請求項６】
請求項１記載の情報管理装置と通信する通信部と、
ユーザの操作を受け付ける受付部と、
前記媒体から前記定期券情報を読み取る読取部と、
前記受付部により定期券の払い戻しを行う操作を受け付けた場合に、前記読取部により読み取られた前記識別情報に対応する利用終了日であって、前記第１の定期券処理装置の受付部により受け付けられ前記情報管理装置によって保持されている利用終了日の送信を要求するリクエストを、前記通信部を用いて前記情報管理装置に送信し、前記リクエストに対して、送信させた前記識別情報に対応した前記利用終了日が前記通信部により受信された場合、受信された前記利用終了日に基づいて定期券の払い戻し処理を行う、
第２の定期券処理装置。
【請求項７】
媒体から識別情報および定期券の利用区間、利用開始日、および利用終了日を含む定期券情報を読み取る読取部と、
前記読取部によって読み取られる前記識別情報が、定期券処理装置で媒体を定期券として利用することを終了する利用終了日を受け付けた媒体の識別情報である場合には、前記定期券処理装置で受け付けた利用終了日に基づいて媒体の適否を決定し、利用終了日を受け付けた媒体の識別情報でない場合には、前記読取部に読み取られる媒体の利用終了日に基づいて利用者の通過の可否を決定する決定部と、
を備える改札機。
【発明の詳細な説明】
【技術分野】
【０００１】
本発明の実施形態は、定期券処理システム、定期券処理装置、および自動改札機に関する。
【背景技術】
【０００２】
定期券の利用開始日から利用終了日までの間に定期券の払い戻しを行う場合、定期券発売額から利用開始日から払い戻しを申告した日までの利用月数分の定期運賃を差し引いた金額を払い戻していた。しかしながら、定期券の払い戻しを申告した日と、実際に定期券を使用しなくなる日が異なる場合には、実際に定期券を使用しなくなる日からの払い戻しを受けることができず、利用者にとって払い戻し金額が不利になる場合があった。
【先行技術文献】
【特許文献】
【０００３】
【特許文献１】特開２００８−２４３０８３号公報
【発明の概要】
【発明が解決しようとする課題】
【０００４】
本発明が解決しようとする課題は、定期券の払戻日を申告する場合における利便性を向上させることができる定期券処理システム、定期券処理装置、および自動改札機を提供することである。
【課題を解決するための手段】
【０００５】
実施形態の定期券処理システムは、第１の定期券処理装置と、情報管理装置と、自動改札機と、を持つ。前記第１の定期券処理装置は、第１の通信部、受付部、第１の読取部、および、第１の制御部、を持つ。前記第１の通信部は、情報管理装置と通信する。前記受付部は、媒体を定期券として利用することを終了する利用終了日の申告を含む、ユーザの操作を受け付ける。前記第１の読取部は、前記媒体に記憶された識別情報と、定期券の利用区間、利用開始日、および利用終了日を含む定期券情報とを前記媒体から読み取る。前記第１の制御部は、前記受付部により受け付けられた利用終了日が、前記第１の読取部により読み取られた利用開始日と利用終了日との間の日付である場合に、前記第１の読取部により読み取られた前記識別情報および前記受付部により受け付けられた利用終了日を、前記第１の通信部を用いて、前記情報管理装置に送信する。前記情報管理装置は、第２の通信部、および、第２の制御部、を持つ。前記第２の通信部は、前記第１の定期券処理装置または前記自動改札機と通信する。前記第２の制御部は、前記第１の定期券処理装置から前記識別情報および前記利用終了日を前記第２の通信部により受信した場合に、受信した前記識別情報および前記利用終了日を前記第２の通信部を用いて、前記自動改札機に送信する。前記自動改札機は、第３の通信部、記憶部、第２の読取部、および、決定部、を持つ。前記第３の通信部は、前記情報管理装置と通信する。前記記憶部は、前記第３の通信部により受信した前記識別情報および定期券の利用終了日を記憶する。前記第２の読取部は、媒体から前記識別情報および前記定期券情報を読み取る。前記決定部は、前記第２の読取部によって読み取られた前記識別情報が前記記憶部に記憶されている場合、前記記憶部に記憶された定期券の利用終了日に基づいて利用者の通過の可否を決定し、前記第２の読取部によって読み取られた前記識別情報が前記記憶部に記憶されていない場合、前記第２の読取部により読み取られた定期券の利用終了日に基づいて利用者の通過の可否を決定する。
【図面の簡単な説明】
【０００６】
【図１】実施形態の定期券処理システム１の一例を示すブロック図。
【図２】実施形態の定期券処理装置１０の一例を示すブロック図。
【図３】実施形態のＩＣカード１００の一例を示すブロック図。
【図４】実施形態の自動改札機２０を上方から見た図。
【図５】実施形態の自動改札機２０の一例を示すブロック図。
【図６】実施形態の情報管理装置３０の一例を示すブロック図。
【図７】実施形態の定期券処理システム１の動作の一例を示すシーケンス図。
【図８】実施形態の定期券処理装置１０−１により実行される処理の一例を示すフローチャート。
【図９】実施形態の自動改札機２０により実行される処理の一例を示すフローチャート。
【図１０】実施形態の定期券処理装置１０−２により実行される処理の一例を示すフローチャート。
【発明を実施するための形態】
【０００７】
以下、実施形態の定期券処理システム、定期券処理装置、および自動改札機を、図面を参照して説明する。
【０００８】
定期券処理装置および自動改札機は、例えば、鉄道の駅などに設置される。以下の説明では、「媒体」の一例として交通系のＩＣ（Integrated Circuit）カードを例示するが、「媒体」は、交通系のＩＣカードと同様の決済機能を有する携帯端末などの電子媒体であってもよい。
【０００９】
図１は、実施形態の定期券処理システム１の一例を示すブロック図である。定期券処理システム１は、例えば、定期券処理装置１０と、自動改札機２０と、情報管理装置３０とを含む。定期券処理装置１０および自動改札機２０は、例えば、ＩＣカード利用可能エリア内の複数の駅（Ａ駅〜Ｎ駅（Ｎは任意の自然数））に設置されている。情報管理装置３０は、ＩＣカード利用可能エリア内の駅に設置された定期券処理装置１０および自動改札機２０と通信回線を介して接続される。
【００１０】
図２は、実施形態の定期券処理装置１０の一例を示すブロック図である。定期券処理装置１０は、例えば、定期券処理側制御部１１と、定期券処理側通信部１２と、表示部１３と、操作部１４と、リーダライタ１５と、金銭処理部１６と、印刷部１７とを含む。定期券処理装置１０は、利用者としての駅員に操作される窓口処理機であってよいが、これに限定されない。定期券処理装置１０は、利用者としての定期券のユーザにより操作される定期券発行機または自動発券機であってもよい。
【００１１】
定期券処理側制御部１１は、例えばＣＰＵ（Central Processing Unit）などのプロセッサがプログラムメモリに格納されたプログラムを実行することにより実現される。また、これらの機能部のうち一部または全部は、ＬＳＩ（Large Scale Integration）、ＡＳＩＣ（Application Specific Integrated Circuit）、またはＦＰＧＡ（Field-Programmable Gate Array）などのハードウェアにより実現されてもよい。定期券処理側制御部１１は、定期券に対する処理を統括的に制御する。
【００１２】
定期券処理側通信部１２は、情報管理装置３０との間で通信を行う。定期券処理側通信部１２は、定期券処理側制御部１１により情報の送信が要求された場合に、情報を情報管理装置３０に送信する。定期券処理側通信部１２と情報管理装置３０の間の通信は、例えば、ＷＡＮ（Wide Area Network）やＬＡＮ（Local Area Network）などのネットワークを介して行われる。
【００１３】
表示部１３は、ＬＣＤ（Liquid Crystal Display）や有機ＥＬ（Electroluminescence）表示装置などの表示装置である。表示部１３は、定期券処理側通信部１２により出力された画像データに基づいて定期券を処理するための各種の画像を、利用者に視認できるように表示する。なお、表示部１３は、利用者に情報を出力する手段として、表示部１３に限らず、音声を出力するスピーカ機構を備えていてもよい。
【００１４】
操作部１４は、ボタンやタッチパネルなどの操作デバイスである。操作部１４は、利用者の操作を受け付けて、操作内容を示す情報を定期券処理側制御部１１に出力する。
【００１５】
リーダライタ１５は、ＩＣカード１００の挿入口（不図示）、アンテナ、および通信制御回路（不図示）などを備える。リーダライタ１５は、例えば１３．５６［ＭＨｚ］の周波数帯を利用してＩＣカード１００と無線通信を行う。リーダライタ１５は、定期券処理側制御部１１の制御に従って、アンテナから読出コマンドを送信する。リーダライタ１５は、ＩＣカード１００に記憶された情報を受信して、受信した情報を定期券処理側制御部１１に出力する。また、リーダライタ１５は、定期券処理側制御部１１の制御に従って、定期券処理側制御部１１に指示された情報を含む書込コマンドを、アンテナからＩＣカード１００に送信する。これにより、リーダライタ１５は、ＩＣカード１００に情報を書き込む。
【００１６】
金銭処理部１６は、定期券の料金を収受するために設けられる。金銭処理部１６は、投入された紙幣や硬貨をカウントし、定期券の代金を超過した場合には釣銭として紙幣や硬貨を購入者に返却する。また、金銭処理部１６は、定期券を払い戻す場合に、払い戻し金額を紙幣や硬貨で返却する。さらに、金銭処理部１６は、払い戻し金額を電子マネーとしてＩＣカードに記憶させてもよい。
【００１７】
印刷部１７は、ＩＣカード１００の券面に形成された染料を加熱するヒータなどを含む。印刷部１７は、定期券処理側制御部１１の制御に従って動作する。印刷部１７は、ＩＣカード１００の券面に、定期券の利用終了日、利用区間などの情報を印刷する。
【００１８】
図３は、実施形態のＩＣカード１００の一例を示すブロック図である。ＩＣカード１００は、例えば、樹脂などのカード基材にＩＣチップ（ＩＣモジュール）が埋め込まれた媒体である。ＩＣカード１００は、ＲＦＩＤ（Radio Frequency Identifier）技術によって、定期券処理装置１０や自動改札機２０のリーダライタとの間で情報を送受信する。ＩＣカード１００は、例えば、通信部１１０、記憶部１２０、および制御部１３０を含む。
【００１９】
記憶部１２０には、ＩＣカード１００を識別するための媒体識別情報ＩＤｉが記憶されている。また、記憶部１２０には、ＩＣカード１００が定期券として使用される場合、定期券情報が記憶されている。定期券情報には、利用区間、利用開始日、および利用終了日が含まれる。さらに、記憶部１２０には、入場駅の識別情報や、電子マネーのチャージ残高などが記憶される。
【００２０】
制御部１３０は、通信部１１０によって受信されたコマンドに応答して、媒体識別情報ＩＤｉその他の情報を通信部１１０に送信させたり、記憶部１２０に、定期券情報、入場駅の識別情報、電子マネーのチャージ残高などの情報を書き込んだりする。
【００２１】
図４は、実施形態の自動改札機２０を上方から見た図である。図５は、実施形態の自動改札機２０の一例を示すブロック図である。自動改札機２０は、例えば、図４に示すように、通路を挟んで対向配置される主機２０Ａと、補機２０Ｂとを含む。主機２０Ａは、例えば、改札側制御部２１と、リーダライタ２３と、扉部２７Ａと、上面表示部２５Ａおよび正面表示部２５Ｂと、を含む。また、補機２０Ｂは、扉部２７Ｂを含む。自動改札機２０は、図４に示したものに加えて、例えば、図５に示すように、改札側通信部２２と、改札側記憶部２４と、音声出力部２６と、扉駆動部２７とを含む。
【００２２】
改札側制御部２１は、例えばＣＰＵなどのプロセッサがプログラムメモリに格納されたプログラムを実行することにより実現される。また、これらの機能部のうち一部または全部は、ＬＳＩ、ＡＳＩＣ、またはＦＰＧＡなどのハードウェアにより実現されてもよい。改札側制御部２１は、利用者が自動改札機２０の通過を許可するか否かを判定する通過可否処理を行う。また、改札側制御部２１は、自動改札機２０の動作を統括的に制御する。
【００２３】
改札側通信部２２は、情報管理装置３０との間で通信を行う。改札側通信部２２は、情報管理装置３０により送信された情報を受信した場合、受信した情報を定期券処理側制御部１１に出力する。改札側通信部２２と情報管理装置３０の間の通信は、例えば、ＷＡＮ（Wide Area Network）やＬＡＮ（Local Area Network）などのネットワークを介して行われる。
【００２４】
リーダライタ２３は、アンテナおよび通信回路などを備える無線通信装置である。リーダライタ２３は、図４の進入方向に通過しようとする利用者によって翳されたＩＣカード１００に記憶された情報を読み取って、読み取った情報を改札側制御部２１に送信する。また、リーダライタ２３は、例えば、電子マネーからの料金収受処理がなされた結果をＩＣカード１００に書き込む。
【００２５】
改札側記憶部２４は、例えば、ＨＤＤ（Hard Disc Drive）、フラッシュメモリ、ＥＥＰＲＯＭ（Electrically Erasable Programmable Read Only Memory）、ＲＯＭ（Read Only Memory）、またはＲＡＭ（Random Access Memory）などにより実現される。また、改札側記憶部２４には、ファームウェアやアプリケーションプログラムなどの各種プログラム、各種機能部による処理結果などが記憶される。改札側記憶部２４には、改札側制御部２１が通過可否を判定するための情報が記憶されている。
【００２６】
表示部２５には、上面表示部２５Ａおよび正面表示部２５Ｂが含まれる。上面表示部２５Ａは、リーダライタ２３にＩＣカード１００が翳された場合に、改札側制御部２１によって処理された結果を表示する。正面表示部２５Ｂは、図４の進行方向に通過可能であるか否かを示すマークや図形、文字などの画像を表示する。正面表示部２５Ｂの表示内容または表示の有無は、改札側制御部２１によって決定される。
【００２７】
音声出力部２６は、利用者に通知する各種の音声、およびブザー音を出力する。扉部２７Ａおよび扉部２７Ｂは、改札側制御部２１により通過が拒否された場合に、閉動作する。扉駆動部２７は、定期券処理側制御部１１の制御に従って、扉部２７Ａおよび扉部２７Ｂを動作させる。
【００２８】
図６は、実施形態の情報管理装置３０の一例を示すブロック図である。情報管理装置３０は、例えば、情報管理側通信部３２と、情報管理側制御部３４と、情報管理側記憶部３６とを含む。
【００２９】
情報管理側制御部３４は、例えばＣＰＵなどのプロセッサがプログラムメモリに格納されたプログラムを実行することにより実現される。また、これらの機能部のうち一部または全部は、ＬＳＩ、ＡＳＩＣ、またはＦＰＧＡなどのハードウェアにより実現されてもよい。情報管理側制御部３４は、情報管理装置３０の動作を統括的に制御する。
【００３０】
情報管理側通信部３２は、定期券処理装置１０および自動改札機２０との間で通信を行う。情報管理側通信部３２は、定期券処理装置１０により送信された情報を受信した場合、受信した情報を情報管理側制御部３４に出力する。また、情報管理側通信部３２は、情報管理側制御部３４により定期券処理装置１０または自動改札機２０に送信する情報が供給された場合に、定期券処理装置１０または自動改札機２０に情報を送信する。
【００３１】
情報管理側記憶部３６は、例えば、ＨＤＤ、フラッシュメモリ、ＥＥＰＲＯＭ、ＲＯＭ、またはＲＡＭなどにより実現される。また、情報管理側記憶部３６には、ファームウェアやアプリケーションプログラムなどの各種プログラム、情報管理側通信部３２による処理結果などが記憶される。また、情報管理側記憶部３６には、定期券処理装置１０により送信された情報が記憶されている。情報管理側記憶部３６は、媒体識別情報ＩＤｉと、利用終了日とを対応づけて記憶する。情報管理側記憶部３６に記憶されている利用終了日は、定期券処理装置１０により受け付けられた利用終了日である。
【００３２】
以下、実施形態の定期券処理システム１により、利用者により申告された利用終了日に基づいて自動改札機２０を制御することについて説明する。図７は、実施形態の定期券処理システム１の動作の一例を示すシーケンス図である。図７の説明において、定期券処理装置１０は、定期券処理装置１０−１と定期券処理装置１０−２との２つが存在するものとして説明する。
【００３３】
まず、定期券処理装置１０−１は、ユーザの操作に基づいて、媒体識別情報ＩＤｉおよび利用終了日を情報管理装置３０に送信する。情報管理装置３０は、定期券処理装置１０−１により送信された媒体識別情報ＩＤｉおよび利用終了日を受信した場合に、媒体識別情報ＩＤｉおよび利用終了日を自動改札機２０に送信する。定期券処理装置１０−２は、ユーザの操作に基づいて、媒体識別情報ＩＤｉを含む利用終了日の送信を要求するリクエストを情報管理装置３０に送信する。定期券処理装置１０−２は、受信したリクエストに含まれる媒体識別情報ＩＤｉに対応して利用終了日が登録されている場合には、利用終了日を含む応答結果を定期券処理装置１０−２に返信する。定期券処理装置１０−２は、受信したリクエストに含まれる媒体識別情報ＩＤｉに対応して利用終了日が登録されていない場合には、利用終了日が登録されていないことを表す応答結果を定期券処理装置１０−２に返信する。
【００３４】
図８は、実施形態の定期券処理装置１０−１により実行される処理の一例を示すフローチャートである。定期券処理側制御部１１は、まず、ＩＣカード１００がリーダライタ１５の挿入口に挿入されたか否かを判定する（ステップＳ１００）。定期券処理側制御部１１は、ＩＣカード１００がリーダライタ１５の挿入口に挿入された場合、操作部１４により利用終了日の申告を受け付けたか否かを判定する（ステップＳ１０２）。
【００３５】
定期券処理装置１０−１は、操作部１４により利用終了日の申告を受け付けていない場合、処理を終了する。定期券処理装置１０−１は、操作部１４により利用終了日の申告を受け付けた場合、定期券処理側制御部１１は、申告された利用終了日（申告日）が、ＩＣカード１００に記憶された利用終了日よりも前の日付であるか否かを判定する（ステップＳ１０４）。
【００３６】
定期券処理側制御部１１は、申告日がＩＣカード１００に記憶された利用終了日よりも前の日付である場合には、ＩＣカード１００に記録された媒体識別情報ＩＤｉおよび受け付けた利用終了日を、定期券処理側通信部１２を用いて、定期券処理側通信部１２から情報管理装置３０に送信する（ステップＳ１０６）。すなわち、定期券処理側制御部１１は、媒体識別情報ＩＤｉおよび利用終了日を情報管理装置３０に送信すると共に、ＩＣカード１００に記憶された定期券の利用終了日をそのまま維持する。定期券処理側制御部１１は、申告日がＩＣカード１００に記憶された利用終了日よりも前の日付ではない場合には、処理を終了する。
【００３７】
なお、定期券処理側制御部１１は、申告日が、ＩＣカード１００に記憶された利用終了日よりも前であっても、払い戻し金額がない場合には、情報管理装置３０に媒体識別情報ＩＤｉおよび利用終了日を送信させずに、処理を終了してもよい。例えば、月単位で払い戻し金額を計算している場合に、ＩＣカード１００に記憶された利用終了日の属する月の日付が申告された場合、定期券処理側制御部１１は、払い戻し金額がないと判定する。
【００３８】
また、定期券処理装置１０−１は、利用終了日の申告を受け付けた場合、ＩＣカード１００の券面に印刷された利用終了日を更新させずにＩＣカード１００を返却する。さらに、定期券処理装置１０−１は、利用終了日の申告を受け付けた場合、記憶部１２０に記憶された定期券の利用終了日を変更せず、申告された利用終了日も記憶部１２０に記憶させない。定期券処理装置１０−１は、券面の印刷を変更しない、または記憶部１２０に記憶させた利用終了日を変更させない、または申告された利用終了日も記憶部１２０に記憶させないことにより、後日、更に利用終了日の変更が申告された場合に、ＩＣカード１００に対する印刷や書き込みなどの煩雑な処理を行う必要をなくすことができる。
【００３９】
図９は、実施形態の自動改札機２０により実行される処理の一例を示すフローチャートである。まず、改札側制御部２１は、リーダライタ２３によりＩＣカード１００を検出したか否かを判定する（ステップＳ２０１）。改札側制御部２１は、リーダライタ２３によりＩＣカード１００を検出した場合、リーダライタ２３によりＩＣカード１００に記録された媒体識別情報ＩＤｉおよび情報を読みとらせる（ステップＳ２０２）。
【００４０】
改札側制御部２１は、リーダライタ２３により読み取られた情報に基づいて、ＩＣカード１００が定期券であるか否かを判定する（ステップＳ２０４）。このとき、改札側制御部２１は、リーダライタ２３により読み取られた情報に定期券情報が含まれている場合、ＩＣカード１００が定期券であると判定する。改札側制御部２１は、ＩＣカード１００が定期券ではない場合、処理を終了する。
【００４１】
改札側制御部２１は、ＩＣカード１００が定期券である場合、改札側記憶部２４から媒体識別情報ＩＤｉに対応する利用終了日を検索する（ステップＳ２０６）。このとき、改札側制御部２１は、Ｓ２０２において読み取られた媒体識別情報ＩＤｉをキーとして、改札側記憶部２４の情報を検索する。改札側制御部２１は、媒体識別情報ＩＤｉに対応する利用終了日が改札側記憶部２４に記憶されているか否かを判定する（ステップＳ２０８）。
【００４２】
改札側制御部２１は、媒体識別情報ＩＤｉに対応する利用終了日が記憶されている場合、改札側記憶部２４に記憶している利用終了日に基づいて、利用者の通過可否処理を行う（ステップＳ２１０、判定部）。このとき、改札側制御部２１は、利用区間が定期券区間内であり、本日の日付がＩＣカード１００に記憶された利用開始日から改札側記憶部２４に記憶された利用終了日の間である場合には、利用者の通過を許可する。改札側制御部２１は、利用区間が定期券区間内であり、本日の日付がＩＣカード１００に記憶された利用開始日から改札側記憶部２４に記憶された利用終了日の間ではない場合には、ＩＣカード１００にチャージされている電子マネーの残高から運賃を減算して、利用者の通過を許可する。改札側制御部２１は、電子マネーのチャージ残高が、運賃よりも少ない場合、利用者の通過を許可しない。
【００４３】
改札側制御部２１は、媒体識別情報ＩＤｉに対応する利用終了日が記憶されていない場合、記憶部１２０に記憶している利用終了日に基づいて、利用者の通過可否処理を行う（ステップＳ２１２、判定部）。このとき、改札側制御部２１は、利用区間が定期券区間内であり、本日の日付がＩＣカード１００に記憶された利用開始日から記憶部１２０に記憶された利用終了日の間である場合には、利用者の通過を許可する。改札側制御部２１は、利用区間が定期券区間内であり、本日の日付がＩＣカード１００に記憶された利用開始日から記憶部１２０に記憶された利用終了日の間ではない場合には、ＩＣカード１００にチャージされている電子マネーの残高から運賃を減算して、利用者の通過を許可する。改札側制御部２１は、電子マネーのチャージ残高が、運賃よりも少ない場合、利用者の通過を許可しない。
【００４４】
図１０は、実施形態の定期券処理装置１０−２により実行される処理の一例を示すフローチャートである。まず、定期券処理側制御部１１は、操作部１４が定期券の払い戻し操作を受け付けたか否かを判定する（ステップＳ３０１）。定期券処理側制御部１１は、定期券の払い戻し操作を受け付けたと判定していない場合には、待機する。
【００４５】
定期券処理側制御部１１は、定期券の払い戻し操作を受け付けたと判定した場合、リーダライタ１５により媒体識別情報ＩＤｉおよび定期券情報を記憶部１２０から読み取らせる（ステップＳ３０２）。次に、定期券処理側制御部１１は、定期券処理側通信部１２を用いて、読み取った媒体識別情報ＩＤｉに対応する利用終了日の送信を要求するリクエストを、定期券処理側通信部１２から情報管理装置３０に送信する（ステップＳ３０４）。
【００４６】
定期券処理側制御部１１は、読み取った媒体識別情報ＩＤｉに対応した利用終了日を受信したか否かを判定する（ステップＳ３０６）。定期券処理側制御部１１は、媒体識別情報ＩＤｉに対応した利用終了日を受信した場合、受信した利用終了日を払戻申告日として払い戻し処理を実行する（ステップＳ３０８、処理部）。このとき、定期券処理側制御部１１は、例えば、月単位で払い戻し金額を計算する場合、定期券運賃の全額から、記憶部１２０に記憶されている利用開始日から登録されている利用終了日の属する月までの利用月数分の定期券運賃を差し引いた払い戻し金額を計算する。定期券処理側制御部１１は、金銭処理部１６により、計算した払い戻し金額を金銭として払い戻す。定期券処理側制御部１１は、払い戻し処理の後、ＩＣカード１００の印刷を消去すると共に、記憶部１２０から定期券情報を消去する。
【００４７】
定期券処理側制御部１１は、媒体識別情報ＩＤｉに対応した利用終了日を受信しない場合、ユーザが申告した本日を払戻申告日として払い戻し処理を実行する（ステップＳ３１０、処理部）。定期券処理側制御部１１は、払い戻し処理の後、ＩＣカード１００の印刷を消去すると共に、記憶部１２０から定期券情報を消去する。
【００４８】
なお、定期券処理装置１０−２は、ユーザが申告した払戻日が、情報管理装置３０から受信した利用終了日よりも前である場合、定期券の払い戻し処理を行わなくてよい。これにより、定期券処理装置１０−２は、ユーザが申告した払戻日に基づいて払い戻し金額を計算するか、情報管理装置３０から受信した利用終了日に基づいて払い戻し金額を計算するかを利用者に選択させることができる。
【００４９】
また、定期券処理装置１０−２は、情報管理装置３０から利用終了日を受信する処理（ステップＳ３０４および３０６）を行った後にＩＣカード１００から媒体識別情報ＩＤｉおよび定期券情報を読み取る処理（ステップＳ３０２）を行ってもよい。
【００５０】
実施形態の定期券処理システム１における具体例について説明する。記憶部１２０に記憶された定期券情報として、利用開始日が○○年１月１日であり、利用終了日が○○年６月３０日であるものとする。また、払い戻し金額の計算を、月単位で行うものとする。利用者が５月３０日に定期券処理装置１０−１に赴いて、５月３１日に利用終了日の申告をする操作を行ったものとする。この場合、定期券処理装置１０−１は、５月３１日を情報管理装置３０に送信することで、定期券の利用終了日としての５月３１日を情報管理装置３０に記憶させる。登録された利用終了日（５月３１日）は、媒体識別情報ＩＤｉと共に、ＩＣカード１００の利用可能エリアに設置されている自動改札機２０に配信される。
【００５１】
自動改札機２０は、配信された媒体識別情報ＩＤｉおよび利用終了日（５月３１日）を記憶する。これにより、自動改札機２０は、６月１日以降に、媒体識別情報ＩＤｉが記憶されたＩＣカード１００を定期券ではないものとして処理を行うことができる。
【００５２】
この結果、定期券処理装置１０−１を用いた申告日から利用終了日（５月３１日）まで定期券の使用が可能となる。これは、定期券処理装置１０−１を用いて申告した利用終了日（５月３１日）が情報管理装置３０に記憶されているからである。また、定期券の払い戻しは、利用終了日（５月３１日）よりも後の日において実施することできる。この結果、利用者は、必ずしも利用終了日（５月３１日）に申告に出向く必要が無くなる。一方、自動改札機２０に利用終了日（５月３１日）を記憶しているので、利用終了日（５月３１日）以降に定期券が使用されるということも防止することができる。
【００５３】
利用者が、６月１０日に駅の窓口駅員に定期券の払い戻しを申請したものとする。駅の窓口駅員は、定期券処理装置１０−２を操作することで、ＩＣカード１００の記憶部１２０に記憶されている利用終了日としての○○年６月３０日を読み出させると共に、媒体識別情報ＩＤｉを含むリクエストを情報管理装置３０に送信する。この場合、定期券処理装置１０−２は、利用終了日の５月３１日が情報管理装置３０に登録されているので、５月３１日までを定期券の使用期間であるものとして１ヶ月分の定期券運賃を払い戻す。
【００５４】
以上説明した定期券処理システム１は、定期券処理装置１０−１により受け付けられた利用終了日を情報管理装置３０に送信し、情報管理装置３０により定期券処理装置１０に利用終了日を送信する。そして、自動改札機２０は、情報管理装置３０が受信した利用終了日に基づいて利用者の通過の可否を判定する。この定期券処理システム１によれば、ＩＣカード１００に記憶された記憶部１２０に記憶された利用終了日よりも前の日付を定期券の払戻日として申告することができる。これにより、定期券処理システム１によれば、払戻のために駅に行って定期券処理装置１０を操作する必要がないので、利用者の利便性を向上させることができる。
【００５５】
また、定期券処理システム１は、定期券処理装置１０により定期券の払い戻しを行う操作を受け付けた場合に、情報管理装置３０に記憶された利用終了日を払戻申告日として払い戻し処理を行うことができる。これにより、定期券処理システム１によれば、例えば、引っ越しや通勤経路の変更などにより利用者が駅に行って払い戻しができない場合に、実際に駅の窓口に行った日が払戻申告日として払い戻し金額が計算されて、払い戻し金額が少なくなることを抑制することができる。
【００５６】
さらに、定期券処理システム１によれば、定期券処理装置１０を操作することで利用者に利用終了日を申告させ、申告した利用終了日以降に駅の窓口で払い戻しをすることができる。これにより、定期券処理システム１によれば、払い戻しのために駅に赴く日を分散させることができるので、駅員による定期券の払い戻し作業が集中する時期を分散させることができる。
【００５７】
さらに、定期券処理装置１０は、操作部１４により受け付けられた利用終了日が、リーダライタ１５により読み取られた利用開始日と利用終了日との間の日付（利用開始日を含む場合があるが利用終了日は含まない）である場合に、媒体識別情報ＩＤｉおよび受け付けた利用終了日を、情報管理装置３０に送信する。これにより、定期券処理装置１０によれば、利用者が定期券を使用しないことが予定される日を利用終了日として情報管理装置３０に記憶させることができる。さらに、定期券処理装置１０によれば、情報管理装置３０に記憶された利用終了日に基づいて定期券の払い戻し処理を行うので、情報管理装置３０に記憶された利用終了日を払戻申告日として払い戻し処理を行うことができる。この結果、定期券処理装置１０によれば、払戻のために駅に行って定期券処理装置１０を操作する必要がないので、利用者の利便性を向上させることができる。
【００５８】
さらに、自動改札機２０は、リーダライタ２３によって読み取られた媒体識別情報ＩＤｉに対応する利用終了日を記憶している場合に、記憶している定期券の利用終了日に基づいて、利用者の通過の可否を判定することができる。自動改札機２０によれば、払戻のために駅に行って定期券処理装置１０を操作する必要がないので、利用者の利便性を向上させることができる。
【００５９】
以上説明した少なくともひとつの実施形態によれば、ユーザの操作により受け付けられた利用終了日が、ＩＣカード１００から読み取られた利用開始日と利用終了日との間の日付である場合に、ＩＣカード１００から読み取られた媒体識別情報ＩＤｉおよびユーザの操作により受け付けられた利用終了日を、情報管理装置３０に送信する定期券処理側制御部１１を備える定期券処理装置１０（１０−１）と、定期券処理装置１０から媒体識別情報ＩＤｉおよび利用終了日を受信した場合に、受信した媒体識別情報ＩＤｉおよび利用終了日を自動改札機２０に送信する情報管理装置３０と、情報管理装置３０から受信した媒体識別情報ＩＤｉおよび定期券の利用終了日を記憶する改札側記憶部２４と、ＩＣカード１００から読み取られた媒体識別情報ＩＤｉが改札側記憶部２４に記憶されている場合、改札側記憶部２４に記憶された定期券の利用終了日に基づいて利用者の通過の可否を判定するので、ＩＣカード１００に記憶された記憶部１２０に記憶された利用終了日よりも前の日付を定期券の払戻日として申告することができる。これにより、実施形態によれば、払戻のために駅に行って定期券処理装置１０を操作する必要がないので、利用者の利便性を向上させることができる。
【００６０】
上記実施形態は、以下のように表現することができる。
情報管理装置と通信する第１の通信部、
ユーザの操作を受け付けて電気的信号に変換する受付部、
メモリを有する媒体から、識別情報と、定期券の利用区間、利用開始日、および利用終了日を含む定期券情報とを電磁的手法により読み取る第１の読取部、および、
前記受付部により受け付けられた利用終了日が、前記第１の読取部により読み取られた利用開始日と利用終了日との間の日付である場合に、前記第１の読取部により読み取られた前記識別情報および前記受付部により受け付けられた利用終了日を、前記第１の通信部を用いて前記情報管理装置に送信する第１の制御部を有する第１の定期券処理装置と、
前記第１の定期券処理装置または自動改札機と通信する第２の通信部、および、
前記第１の定期券処理装置から前記識別情報および前記利用終了日を前記第２の通信部により受信した場合に、受信した前記識別情報および前記利用終了日を、前記第２の通信部を用いて前記自動改札機に送信する第２の制御部を有する前記情報管理装置と、
前記情報管理装置と通信する第３の通信部、
前記第３の通信部により受信した前記識別情報および定期券の利用終了日を記憶する記憶部、
媒体から前記識別情報および前記定期券情報を読み取る第２の読取部、および、
前記第２の読取部によって読み取られた前記識別情報が前記記憶部に記憶されている場合、前記記憶部に記憶された定期券の利用終了日に基づいて利用者の通過の可否を判定し、前記第２の読取部によって読み取られた前記識別情報が前記記憶部に記憶されていない場合、前記第２の読取部により読み取られた定期券の利用終了日に基づいて利用者の通過の可否を判定する判定部を備える自動改札機と、
を備える定期券処理システム。
【００６１】
上記実施形態は、以下のように表現することができる。
前記第１の定期券処理装置または自動改札機と通信する第２の通信部、および、
前記第１の定期券処理装置から前記識別情報および前記利用終了日を前記第２の通信部により受信した場合に、受信した前記識別情報および前記利用終了日を、前記第２の通信部を用いて前記自動改札機に送信する第２の制御部を有する情報管理装置と通信する通信部と、
ユーザの操作を受け付けて電気的信号に変換する受付部と、
メモリを有する媒体から、前記媒体から前記定期券情報を電磁的手法により読み取る読取部と、
前記受付部により定期券の払い戻しを行う操作を受け付けた場合に、前記読取部により読み取られた前記識別情報に対応する利用終了日の送信を要求するリクエストを、前記通信部を用いて前記情報管理装置に送信し、前記リクエストに対して、送信させた前記識別情報に対応した前記利用終了日が前記通信部により受信された場合、受信された前記利用終了日に基づいて定期券の払い戻し処理を行う、
第２の定期券処理装置。
【００６２】
上記実施形態は、以下のように表現することができる。
情報管理装置と通信する通信部と、
前記通信部により受信した識別情報および定期券の利用終了日を記憶する記憶部と、
メモリを有する媒体から、前記識別情報と、定期券の利用区間、利用開始日、および利用終了日を含む定期券情報とを電磁的手法により読み取る読取部と、
前記読取部によって読み取られた前記識別情報が前記記憶部に記憶されている場合、前記記憶部に記憶されている定期券の利用終了日に基づいて、利用者の通過の可否を判定し、前記読取部によって読み取られた前記識別情報が前記記憶部に記憶されていない場合、前記読取部により読み取られた定期券の利用終了日に基づいて利用者の通過の可否を判定する判定部と、
を備える、自動改札機。
【００６３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均などの範囲に含まれるものである。
【符号の説明】
【００６４】
１…定期券処理システム、１０、１０−１、１０−２…定期券処理装置、１１…定期券処理側制御部、１２…定期券処理側通信部、１４…操作部、１５…リーダライタ、２０…自動改札機、２１…改札側制御部、２２…改札側通信部、２３…リーダライタ、２４…改札側記憶部、３０…情報管理装置、３２…情報管理側通信部、３４…情報管理側制御部、３６…情報管理側記憶部、１００…ＩＣカード、１２０…記憶部
【図１】
0006649131.tif 000002
【図２】
0006649131.tif 000003
【図３】
0006649131.tif 000004
【図４】
0006649131.tif 000005
【図５】
0006649131.tif 000006
【図６】
0006649131.tif 000007
【図７】
0006649131.tif 000008
【図８】
0006649131.tif 000009
【図９】
0006649131.tif 000010
【図１０】
0006649131.tif 000011